(57)【要約】【課題】開封時の内容物の飛散を効果的に抑制可能なカップ状容器を提供する。【解決手段】カップ状容器１は、筒状の周壁４、周壁４の下端を閉塞する底壁５、及び周壁４の上端から径方向外側に延在するフランジ６を備える容器本体２と、フランジ６の上面に貼着されるシート状のシール部材３と、を有し、フランジ６が、フランジ６への引上操作によって上方に伸長可能な折畳形状部８を有する。【選択図】図１
2020121736.tif 000002
【特許請求の範囲】
【請求項１】
筒状の周壁、前記周壁の下端を閉塞する底壁、及び前記周壁の上端から径方向外側に延在するフランジを備える容器本体と、
前記フランジの上面に貼着されるシート状のシール部材と、を有し、
前記フランジが、前記フランジへの引上操作によって上方に伸長可能な折畳形状部を有する、カップ状容器。
【請求項２】
前記フランジが、径方向に沿って延在するフランジ基部を有し、
前記折畳形状部が、前記フランジ基部から下方に延在するとともに前記周壁を少なくとも部分的に包囲する内壁と、前記内壁の径方向外側に位置するとともに前記フランジ基部から下方に延在する外壁と、を有し、
前記内壁の下端と前記外壁の下端とが一体に連なっている、請求項１に記載のカップ状容器。
【請求項３】
前記フランジが、局所的に径方向外側に突出する引上操作用の摘み部を有し、
前記内壁及び前記外壁の上下幅が、前記周壁の周方向に沿って前記摘み部から遠ざかるにつれて低減している、請求項２に記載のカップ状容器。
【請求項４】
前記シール部材が、前記外壁の上端縁及びその延長線上に亘る環状の第１貼着部と、前記内壁の上端縁及びその延長線上に亘る環状の第２貼着部と、を介して前記フランジの上面に貼着される、請求項２又は３に記載のカップ状容器。
【発明の詳細な説明】
【技術分野】
【０００１】
本発明は、カップ状容器に関する。
【背景技術】
【０００２】
ゼリーやミルクなどの食品などを内容物として収容する容器として、容器本体のフランジにシート状のシール部材が貼着されたカップ状容器が知られている（例えば、特許文献１参照）。カップ状容器は、容器本体に内容物が充填された後に、シール部材がフランジに貼着されることで密封され、出荷される。消費者等は、シール部材をフランジから剥がすことによってカップ状容器を開封し、内容物をカップ状容器から吐出させることができる。
【先行技術文献】
【特許文献】
【０００３】
【特許文献１】特開２００６−１８２３５５号公報
【発明の概要】
【発明が解決しようとする課題】
【０００４】
上記のようなカップ状容器は、周囲温度の変化や開封時の把持による押圧などに起因して、開封時に内部圧力が正圧となっている場合があり、このような正圧状態で開封されると、内容物が飛散し、周囲を汚してしまうことがあった。その対策として、種々の構造が従来のカップ状容器において採用されているが、さらなる改善が望まれている。
【０００５】
本発明の目的は、開封時の内容物の飛散を効果的に抑制可能なカップ状容器を提供することにある。
【課題を解決するための手段】
【０００６】
本発明の一態様に係るカップ状容器は、
筒状の周壁、前記周壁の下端を閉塞する底壁、及び前記周壁の上端から径方向外側に延在するフランジを備える容器本体と、
前記フランジの上面に貼着されるシート状のシール部材と、を有し、
前記フランジが、前記フランジへの引上操作によって上方に伸長可能な折畳形状部を有する。
【０００７】
本発明に係るカップ状容器は、
前記フランジが、径方向に沿って延在するフランジ基部を有してもよく、
前記折畳形状部が、前記フランジ基部から下方に延在するとともに前記周壁を少なくとも部分的に包囲する内壁と、前記内壁の径方向外側に位置するとともに前記フランジ基部から下方に延在する外壁と、を有してもよく、
前記内壁の下端と前記外壁の下端とが一体に連なっていてもよい。
【０００８】
本発明に係るカップ状容器は、
前記フランジが、局所的に径方向外側に突出する引上操作用の摘み部を有してもよく、
前記内壁及び前記外壁の上下幅が、前記周壁の周方向に沿って前記摘み部から遠ざかるにつれて低減していてもよい。
【０００９】
本発明に係るカップ状容器は、前記シール部材が、前記外壁の上端縁及びその延長線上に亘る環状の第１貼着部と、前記内壁の上端縁及びその延長線上に亘る環状の第２貼着部と、を介して前記フランジの上面に貼着されてもよい。
【発明の効果】
【００１０】
本発明によれば、開封時の内容物の飛散を効果的に抑制可能なカップ状容器を提供することができる。
【図面の簡単な説明】
【００１１】
【図１】（ａ）は、本発明の一実施形態に係るカップ状容器をフランジへの引上操作前の状態で示す上面図であり、（ｂ）は（ａ）のＡ−Ａ断面図である。
【図２】（ａ）は、図１に示す容器本体の上面図であり、（ｂ）は（ａ）のＡ−Ａ断面図である。
【図３】（ａ）は、図１に示すカップ状容器をフランジへの引上操作後の状態で示す上面図であり、（ｂ）は（ａ）のＡ−Ａ断面図である。
【発明を実施するための形態】
【００１２】
以下、図面を参照して、本発明の実施形態に係るカップ状容器について詳細に例示説明する。
【００１３】
図１（ａ）、（ｂ）に示すように、本実施形態に係るカップ状容器１（以下、容器１ともいう）は、容器本体２及びシール部材３で構成されており、図示しない内容物を収容した状態で密封されている。容器本体２は、合成樹脂を主材とする一体成形品である。なお、容器本体２は、単層の合成樹脂で構成されてもよいし、複数層の合成樹脂で構成されてもよい。容器本体２は、例えば射出成形、或いはシート状中間成形体からの熱成形（サーモフォーミング）によって形成することができる。しかし、容器本体２の製法は、これらに限定されない。シール部材３は、シート状をなしており、合成樹脂を主材とする単一又は複数の層で構成されている。シール部材３は、金属を主材とする単一又は複数の層を有していてもよい。
【００１４】
内容物は、ゼリーやミルク、調味料などの液状の食品である。しかし、内容物は、食品に限定されない。また、内容物の粘度は、特に限定されない。内容物は、液状に限定されず、例えば、固形状、粉状、固形物と液状物との混成状などであってもよい。
【００１５】
容器本体２は、中心軸線Ｏを有する筒状の周壁４、周壁４の下端を閉塞する底壁５、及び周壁４の上端から径方向外側に延在するフランジ６を有している。なお、本実施形態において、上下方向とは、容器本体２の周壁４の中心軸線Ｏに沿う方向を意味し、上方とは底壁５からフランジ６に向かう方向（図１（ｂ）における上方）であり、下方とはその反対方向である。また、特に断らない限り、径方向とは中心軸線Ｏと直交する方向であり、周方向とは中心軸線Ｏを周回する方向である。
【００１６】
周壁４は、上方に向けて徐々に拡径する円錐台状をなしている。しかし、周壁４は、筒状であればよく、例えば、円筒状、楕円筒状、角筒状、角錐台状などであってもよい。底壁５は、上面視で中央部が上方に隆起し、その外周部が環状の接地部とされている。しかし、底壁５の形状は適宜変更が可能である。
【００１７】
図２（ａ）、（ｂ）に示すように、フランジ６は、周壁４の上端から全周に亘って径方向外側に延在する環状をなしている。また、フランジ６は、径方向に沿って延在するフランジ基部６ａと、後述する折畳形状部８とで構成されている。フランジ基部６ａは、局所的に径方向外側に突出する引上操作用の摘み部７を有している。摘み部７は、径方向外側に向けて横幅が徐々に縮小する先細状をなしている。しかし、摘み部７は、先細状に限定されない。摘み部７は、折曲操作によって破断可能な弱化線７ａを有している。弱化線７ａは、摘み部７が局所的に径方向外側に突出する方向に対して垂直な方向に延在する直線状をなしている。弱化線７ａは、例えば、ミシン目又は溝などで構成することができる。摘み部７における弱化線７ａより径方向外側の部分は、シール部材３に、熱又は超音波などによる溶着、或いは接着剤などによる接着などの適宜の固着手段によって貼着されており、弱化線７ａの破断によってシール部材３とともにフランジ６から除去可能な除去部７ｂとなっている。フランジ６は摘み部７を除いた部分が上面視略円環状をなしているが、その形状は、周壁４の形状などに合わせて適宜変更が可能である。
【００１８】
フランジ６は、摘み部７を介するフランジ６への引上操作によって上方に伸長可能（図３（ｂ）参照）な折畳形状部８を有している。図２に示すように、折畳形状部８は、フランジ基部６ａから下方に延在するとともに周壁４を周方向に部分的に包囲する内壁８ａと、内壁８ａの径方向外側に位置するとともにフランジ基部６ａから下方に延在する外壁８ｂと、を有している。内壁８ａは、上面視円弧状に湾曲するとともに下方に向けて径方向外側に傾斜する湾曲テーパ面状をなしている。外壁８ｂは、上面視円弧状に湾曲するとともに下方に向けて径方向内側に傾斜する湾曲逆テーパ面状をなしている。なお、内壁８ａ及び外壁８ｂの形状は、上面視円弧状に限らず、周壁４の形状などに合わせて適宜変更が可能である。内壁８ａの下端と外壁８ｂの下端とは、水平に延在する連結壁８ｃを介して一体に連なっている。内壁８ａ及び外壁８ｂの上下幅は、周壁４の周方向に沿って摘み部７から遠ざかるにつれて徐々に低減している。また、連結壁８ｃの横幅（径方向の幅）も、周壁４の周方向に沿って摘み部７から遠ざかるにつれて徐々に低減している。
【００１９】
折畳形状部８は、周壁４を周方向に略３／４周に亘って包囲している。折畳形状部８が周壁４を包囲する範囲は、略３／４周に限定されないが、フランジ６への引上操作をスムーズにするために、１／４周以上１周以下とすることが好ましく、１／２以上１周未満とすることがより好ましい。
【００２０】
内壁８ａの上端は、周壁４の上端に接している。内壁８ａの上端は、周壁４の上端から径方向外側に所定距離離れた位置に配置されてもよいが、フランジ６への引上操作をスムーズにするために、周壁４の上端にできるだけ近い位置に配置されることが好ましい。
【００２１】
図１に示すように、シール部材３は、内容物が容器本体２の内部空間Ｓに収容された状態で、フランジ基部６ａの上面に形成された貼着部９において、上述した固着手段によって貼着されている。貼着部９は、外壁８ｂの上端縁及びその延長線上に亘る環状の第１貼着部９ａと、内壁８ａの上端縁及びその延長線上に亘る環状の第２貼着部９ｂと、で構成されている。
【００２２】
消費者等は、周囲温度の変化や開封時の把持による押圧などに起因して容器１の内部空間Ｓの圧力が周囲の気圧よりも高い正圧状態になっている場合でも、図３（ａ）、（ｂ）に示すように、摘み部７を介するフランジ６への引上操作により、折畳形状部８を周壁４に対して相対的に上方に伸長させるとともに第２貼着部９ｂの一部を剥離させて、内部空間Ｓを拡大して内部空間Ｓの正圧状態を緩和又は解消させることができる。なお、図３（ａ）及び図１（ａ）において、第１貼着部９ａ及び第２貼着部９ｂにおける未剥離部分にハッチングを付している。
【００２３】
したがって、消費者等は、フランジ６への引上操作の際又はその後に摘み部７の除去部７ｂを折り曲げ、弱化線７ａで破断させ、除去部７ｂへのさらなる引上により第１貼着部９ａの一部を剥離させて内部空間Ｓを開封した際に、内部空間Ｓからの内容物の飛散を抑制することができる。なお、内部空間Ｓの開封後は、貼着部９の残りの部分を部分的又は全体的に剥離させて、内部空間Ｓから内容物を吐出することができる。
【００２４】
本実施形態では、折畳形状部８を構成する内壁８ａ及び外壁８ｂの上下幅が、周壁４の周方向に沿って摘み部７から遠ざかるにつれて低減しているので、摘み部７を介するフランジ６への引上操作により、摘み部７に近い片側だけをスムーズに伸長させることができる。
【００２５】
また、本実施形態では、貼着部９が第２貼着部９ｂを有しているので、周囲温度の変化や開封時の把持による押圧などに起因して容器１の内部空間Ｓの圧力が正圧状態になったときや、フランジ６を摘まんで容器１を持ち上げたときなどにおいても、容器１を、フランジ６への引上操作前の所定形状に保持し易くすることができる。第２貼着部９ｂを設ける場合には、フランジ６への引上操作を容易にするために、第２貼着部９ｂの接着力を第１貼着部９ａの接着力よりも小さく設定することが好ましい。また、折畳形状部８の剛性を適切に設定することなどにより、第２貼着部９ｂを設けない構成としてもよい。
【００２６】
前述した本実施形態は、本発明の実施形態の一例にすぎず、発明の要旨を逸脱しない範囲で種々変更可能であることはいうまでもない。
【００２７】
折畳形状部８は、内壁８ａ、外壁８ｂ及び連結壁８ｃで構成される１つの折曲部で構成されているが、径方向に並ぶ複数の折曲部で構成されてもよい。内壁８ａの下端と外壁８ｂの下端とは連結壁８ｃを介して一体に連なっているが、連結壁８ｃを介さずに直接連なっていてもよい。内壁８ａ及び外壁８ｂの縦断面（中心軸線Ｏを含む断面）における傾斜角度は適宜変更が可能である。摘み部７は、シール部材３に貼着されるとともに弱化線７ａを有しているが、シール部材３に貼着されずに弱化線７ａを有していなくてもよい。フランジ６は、フランジ６への引上操作が可能であれば、摘み部７を有していなくてもよい。
【符号の説明】
【００２８】
１  容器（カップ状容器）
２  容器本体
３  シール部材
４  周壁
５  底壁
６  フランジ
６ａ  フランジ基部
７  摘み部
７ａ  弱化線
７ｂ  除去部
８  折畳形状部
８ａ  内壁
８ｂ  外壁
８ｃ  連結壁
９  貼着部
９ａ  第１貼着部
９ｂ  第２貼着部
Ｏ  中心軸線
Ｓ  内部空間
【図１】
2020121736.tif 000003
【図２】
2020121736.tif 000004
【図３】
2020121736.tif 000005